(57)【要約】【課題】操作性の良好な電子打楽器用ペダル装置を提供する。【解決手段】ウエイト３には、引っ張りコイルバネ１０の一端を係止するバネ係止軸３ａが備えられている。引っ張りコイルバネ１０の一端は、このバネ係止軸３ａに回動自在に軸止される。カバー６の上部の内側には、引っ張りコイルバネ１０の他端を係止するバネ係止軸６ａが備えられている。引っ張りコイルバネ１０の他端は、このバネ係止軸６ａに回動自在に軸止される。したがって、フットボード２が操作されない場合、フットボード２は、回動軸４とバネ係止軸６ａとを結ぶ直線とほぼ平行に保持される。【選択図】図２
2008145464.tif 000002
【特許請求の範囲】
【請求項１】
底板と、
その底板との間に回転軸を備えて回動し、略平面の操作面を有するフットボードと、
そのフットボードに引っ張り力を引加するバネと、
前記フットボードの回動を検出するセンサとを備え、
前記バネは、前記フットボードが操作されていない状態において、前記操作面に略平行な方向であって、その方向が前記底板と所定の角度を成す方向へ引っ張り力を引加し、前記フットボードが操作されて回動することにより張力を増加することを特徴とする電子打楽器用ペダル装置。
【請求項２】
前記フットボードに固着され前記バネの一端を係止する第１の係止部と、
前記底板から所定の高さの位置に固着され、前記バネの他端を係止する第２の係止部とを備えていることを特徴とする請求項１記載の電子打楽器用ペダル装置。
【請求項３】
前記センサは、前記底板上に形成された２つの電極と、その２つの電極を前記フットボードの回動に応じて短絡させる押圧ゴムとを備え、前記押圧ゴムは、底板とフットボードの操作面とが成す角度に応じて前記２つの電極に接触する面積を連続的に変化することを特徴とする請求項１または２に記載の電子打楽器用ペダル装置。
【請求項４】
前記第１の係止部は、回動軸とは反対側の前記フットボードの一端に備えられ、前記フットボードが操作されることにより前記押圧ゴムを前記電極に押圧することを特徴とする請求項３記載の電子打楽器用ペダル装置。
【発明の詳細な説明】
【技術分野】
【０００１】
本発明は、電子打楽器用ペダル装置に関し、特に操作感が良好な電子打楽器用ペダル装置に関するものである。
【背景技術】
【０００２】
従来より、アコースティックバスドラムを模擬した電子打楽器が提案されている。従来提案されているバスドラムを模擬した電子打楽器用ペダル装置は、アコースティックバスドラムと同様に足でペダルを踏み込むことによりビータを回動させ、ビータが打面を打つ打撃力を検出し、その検出された打撃力に応じた強さの楽音を発生するように構成されている。
【０００３】
実開平６−８９９８号公報（特許文献１）には、上記のようにビータにより、打面を打撃し、打撃面に設けられた圧電センサにより打撃力を検出する電子打楽器が開示されている。
【０００４】
また、特開平９−９７０７５号公報には、ペダルを踏み込むことにより、センサが押下される電子打楽器用のハイハットペダル装置が開示されている。このハイハットペダル装置は、図１０に示すように、ペダル１０２が、底板１０５に回動支持され、ペダル１０２と底板１０５との間に設けられた圧縮バネ１１０によりペダル１０２と底板１０５との角度θが大きくなる方向に付勢されている。
【０００５】
一方、ペダルの先端部には、ペダル１０２の初期位置を調整するネジ１１２が設けられている。ペダル１０２に固着されているシャフト１２０の下端には、センサラバー１０７を押下する板１０３が設けられ、ペダル１０２が踏み込まれると、板１０３がセンサラバー１０７の先端部を押下する。センサラバー１０７の下方には、センサパターン１０８が形成されており、センサラバー１０７がセンサパターン１０８に接触する面積に応じた電気抵抗が形成される。圧縮バネ１１０の下端は、底板１０５に形成されたボルトに螺合する蝶ナットに支持され、蝶ナットを回転することにより、圧縮バネの強さが調整される。
【特許文献１】実開平６−８９９８号公報
【特許文献２】特開平９−９７０７５号公報
【発明の開示】
【発明が解決しようとする課題】
【０００６】
しかしながら、特許文献１に開示された構造では、ビータが打面を打撃するために、打撃による雑音を発生するという問題点があった。また、特許文献２に開示された構造では、従来のドラム用ペダルとは操作感が異なるという問題点があった。
【０００７】
本発明は上述した問題点を解決するためになされたものであり、操作性の良好な電子打楽器用ペダル装置を提供することを目的としている。
【課題を解決するための手段】
【０００８】
この目的を達成するために、請求項１記載の電子打楽器用ペダル装置は、底板と、その底板との間に回転軸を備えて回動し、略平面の操作面を有するフットボードと、そのフットボードに引っ張り力を引加するバネと、前記フットボードの回動を検出するセンサとを備え、前記バネは、前記フットボードが操作されていない状態において、前記操作面に略平行な方向であって、その方向が前記底板と所定の角度を成す方向へ引っ張り力を引加し、前記フットボードが操作されて回動することにより張力を増加する。
【０００９】
請求項２記載の電子打楽器用ペダル装置は、請求項１記載の電子打楽器用ペダル装置において、前記フットボードに固着され前記バネの一端を係止する第１の係止部と、前記底板から所定の高さの位置に固着され、前記バネの他端を係止する第２の係止部とを備えている。
【００１０】
請求項３記載の電子打楽器用ペダル装置は、請求項１または２記載の電子打楽器用ペダル装置において、前記センサは、前記底板上に形成された２つの電極と、前記フットボードの回動により前記２つの電極を短絡させる押圧ゴムとを備え、その押圧ゴムは、底板とフットボードの操作面とが成す角度に応じて前記２つの電極に接触する面積を連続的に変化する。
【００１１】
請求項４記載の電子打楽器用ペダル装置は、請求項３記載の電子打楽器用ペダル装置において、前記第１の係止部は、回動軸とは反対側の前記フットボードの一端に備えられ、前記フットボードが操作されることにより前記押圧ゴムを前記電極に押圧する。
【発明の効果】
【００１２】
請求項１記載の電子打楽器用ペダル装置によれば、底板と、その底板との間に回転軸を備えて回動し、略平面の操作面を有するフットボードと、そのフットボードに引っ張り力を引加するバネと、フットボードの回動を検出するセンサとを備え、バネは、フットボードが操作されていない状態において、操作面に略平行な方向であって、その方向が底板と所定の角度を成す方向へ引っ張り力を引加し、フットボードが操作されて回動することにより張力を増加する。よって、演奏者がフットボードを足などで操作する場合の操作感が良好であるという効果がある。
【００１３】
すなわち、従来のアコースティックバスドラム用のペダル装置の操作感に近いので、特に、アコースティクドラムに慣れている演奏者にとっては、演奏し易い。図９に、アコースティックバスドラム用のペダル装置２０１を示す。
【００１４】
図９に示すように、アコースティックバスドラム用のペダル装置２０１は、フットボード２０２と、ビータ２０６が取り付けられたビータロッドを回転する回転軸の軸受け２０５と、回転軸に固着されたアーム２０４と、アーム２０４の一端に係止される引っ張りバネ２０３とを主に備えている。
【００１５】
フットボード２０２が操作されていない状態では、引っ張りバネ２０３がアーム２０４の一端を下方に引っ張り、ビータ２０６が打面から離れた距離に保持されるとともに、フットボード２０２と床面とは、所定の角度で保持される。
【００１６】
アーム２０４は、軸受け２０５に軸支されているので、引っ張りバネ２０３が係止されている係止部は、軸の中心を中心とする円弧の軌跡上を動く。引っ張りバネ２０３は、下方へ引っ張るので、係止部が最下位置にある付近では、回転角の変化に対して、加重の増え方は、小さいが、回転角度が大きくなるにつれて、加重は大きくなる。
【００１７】
ビータ２０６は、ある程度の質量があるため、ビータが停止してい状態から、フットボード２０２の踏み込みを開始すると、ビータ２０６の慣性によりフットボード２０２を強く踏み込まなくても、ビータ２０６が、打面に向かって回転し、ほどよい操作感が得られるように構成されている。
【００１８】
図８は、回転角度θと、加重の大きさｆとの関係を示すグラフである。このグラフは、横軸をフットボードと底板との回転角度θとし、縦軸を加重の大きさｆとして表す。このグラフにおいて、曲線Ａは、従来のアコースティックバスドラム用ペダル装置の特性を示し、曲線Ｂは、図１０に示すペダル装置の特性を示す。
【００１９】
曲線Ａが示すように、従来のドラム用ペダル装置の場合は、回転角度θを順次大きくすると、回転角度θが小さい間は、加重は小さく、加重の増え方も小さいが、回転角度θが大きくなるに従って、加重の値が増えると共に、加重の増え方も大きくなる。
【００２０】
一方、曲線Ｂは、図１０に示す従来の電子楽器用ペダル装置について示す特性であり、回転角度θが０の場合でも、蝶ナットによって設定される初期加重ａが、掛けられ、回転角度θが大きくなると比例的に加重が増加する。本発明による電子楽器用ペダル装置は、曲線Ａと同様な加重特性をもつので、アコースティックバスドラム用のペダル装置の操作感と近似し、操作感が良好である。
【００２１】
請求項２記載の電子打楽器用ペダル装置によれば、請求項１記載の電子打楽器用ペダル装置の奏する効果に加え、フットボードに固着されバネの一端を係止する第１の係止部と、底板から所定の高さの位置に固着され、バネの他端を係止する第２の係止部とを備えているので、従来のペダル装置のように、ビータが回転する機構や、ビータの回転に応じた加重をかけるアームが不要であり、操作感の良好なペダル装置を簡単な構成で製作することができる。よって、安価にペダル装置を提供することができるという効果がある。
【００２２】
請求項３記載の電子打楽器用ペダル装置によれば、請求項１または２記載の電子打楽器用ペダル装置の奏する効果に加え、センサは、底板上に形成された２つの電極と、フットボードの回動により２つの電極を短絡させる押圧ゴムとを備え、その押圧ゴムは、底板とフットボードの操作面とが成す角度に応じて２つの電極に接触する面積を連続的に変化するので、フットボードと底板との角度に応じた電気抵抗を得ることができる。よって、電気抵抗を計測することにより、操作状態を検出することができる。
【００２３】
また、ビータを有さず、押圧ゴムを押圧するので、ビータの動作により発生する雑音を無くすことができ、静粛なペダル装置を提供することができるという効果がある。
【００２４】
請求項４記載の電子打楽器用ペダル装置によれば、請求項３記載の電子打楽器用ペダル装置の奏する効果に加え、第１の係止部は、回動軸とは反対側の前記フットボードの一端に備えられ、フットボードが操作されることにより押圧ゴムを前記電極に押圧するので、バネを係止する部材は、押圧ゴムを押圧するアクチュエータを兼ねているので、部材の数を減らすことができ、構造が簡単で、装置を安価に提供できるという効果がある。
【発明を実施するための最良の形態】
【００２５】
以下、本発明の好ましい実施形態について、添付図面を参照して説明する。
【００２６】
図１は、本発明の一実施形態である電子打楽器用ペダル装置１の外観斜視図である。まず、図１を参照して、電子打楽器用ペダル装置１の外観構成について説明する。電子打楽器用ペダル装置１は、図１に示すように、フットボード２と、ウエイト３と、回動軸４と、底板５と、カバー６と、引っ張りコイルバネ１０とを主に備えている。
【００２７】
底板５は、床などに載置される板材であって、ペダル装置１の底部をなし、一端（図、右下側）には回動軸４を有する軸受け５ａが形成され、他端（同図、左側）には、カバー６が固着されている。
【００２８】
フットボード２は、主として足の平により踏み込み操作されるアルミ製板材であり、フットボード２の一端（図において右端）は、底板５に設けられた回動軸４に軸支され、フットボード２が操作されることにより、この回動軸４を中心として回動する。
【００２９】
フットボード２の他端の下側面には、ウエイト３がネジにより固着され、このウエイト３からカバー６の内部に引っ張りコイルバネ１０が張設されている。ウエイト３は、アコースティックドラム用のペダルのビータの質量を模擬するために、鉄などの金属により形成されて錘としての機能を有すると共に、後述するセンサのアクチュエータとしての機能を有する。
【００３０】
図２は、電子打楽器用ペダル装置１の平面図（ａ）と、その平面図に示すＡ−Ａ面での断面、すなわち電子打楽器用ペダル装置１の長手方向の断面である断面図（ｂ）とである。図２（ｂ）に示すように、ウエイト３には、引っ張りコイルバネ１０の一端を係止するバネ係止軸３ａが備えられている。引っ張りコイルバネ１０の一端は、このバネ係止軸３ａに回動自在に軸止される。カバー６の上部の内側には、引っ張りコイルバネ１０の他端を係止するバネ係止軸６ａが備えられている。引っ張りコイルバネ１０の他端は、このバネ係止軸６ａに回動自在に軸止される。
【００３１】
したがって、フットボード２が操作されない状態では、引っ張りコイルバネ１０の引っ張り力により、回動軸４と、バネ係止軸３ａと、バネ係止軸６ａとがほぼ一直線になり、その状態でフットボード２が保持される。このとき、フットボード２の操作面と、底板の上面とは、所定の角度（２０度〜３０度）をなす。フットボード２が、足などにより踏み込まれると、この角度は小さくなると共に、引っ張りコイルバネ１０が、伸張され、負荷が大きくなる。
【００３２】
ウエイト３の下方の底板５の上面には、センサラバー７とセンサパターン８とが備えられ、カバー６の先端部には、ジャック９が備えられている。センサラバー７は、押圧ゴムにより形成され、一端（右側）を底板５に固定され、他端が自由端であるとともに、底板５から湾曲してウエイト３の方向に弧を描く形状に成形されている。
【００３３】
ウエイト３が、降下されると、ウエイト３の下面によりセンサラバー７の自由端が押圧され、センサラバー７の円弧の曲率が大きくなるように変形される。このことにより、底板５の上面に形成されたセンサパターン８（図３参照）が、センサラバー７に接触し、その接触面積は、センサラバー７の変形が大きいほど、すなわち、フットボード２の底板５に対する角度が小さいほど、大きくなる。
【００３４】
ジャック９は、カバー６の先端部に備えられ、センサラバー７とセンサパターン８とにより形成されるセンサの出力電気信号を取り出す端子であり、ジャック９に接続コードの一端に設けられたプラグが着脱自在に装着され、センサの出力が音源装置に入力される。
【００３５】
図３は、ウエイト３とセンサ部の斜視図であり、図３に示すように、センサラバー７に対向し、センサパターン８が底板５の上面に形成されている。このセンサパターン８の詳細は、図４を参照して後述するが、センサラバー７が押圧され、接触面積が大きいほど、電気抵抗値が小さくなるように形成される。
【００３６】
センサラバー７が、センサパターン８に接触していない場合は、抵抗値が最も大きく、フットボード２が踏み込まれて、フットボード２と底板５とが成す角度が小さくなるとセンサラバー７とセンサパターン８との接触面積が大きくなり、センサラバー７がセンサパターン８に押圧される圧力が大きくなるほど、抵抗値は、小さくなる。
【００３７】
したがって、この抵抗値を検出することにより、フットボード２の踏み込み位置を検出することができるとともに、抵抗値が変化する速度を検出することにより、フットボード２が操作された速度およびフットボード２が押圧されている圧力を検出することができる。よって、この検出されたフットボード２の位置と速度と圧力とに応じて、ドラムが発生する音の音量や音色を変化させることができる。
【００３８】
次に、図４を参照してセンサパターン８の構成について説明する。図４は、センサパターン８を構成する上面フィルム８ａと、スペーサ８ｂと、センサパターンフィルム８ｃとをそれぞれ示す平面図である。
【００３９】
上面フィルム８ａは、ポリエステルフィルムにより形成された矩形状の透明フィルムであって、上面フィルム８ａの下面の中央部に導電体である銀ペースト８ａ１が、細長い矩形状に塗布されている。また、上面フィルム８ａの左側には、センサフィルム８を底板５とセンサラバー７との間に挟持して固定するための取付孔８ａ２が形成され、銀ペースト８ａ１の長手方向の両側には、センサパターン８を底板５に固定するための取付孔８ａ３が形成されている。
【００４０】
スペーサ８ｂは、同じくポリエステルフィルムにより形成された矩形状の透明フィルムであって、外形は、上面フィルム８ａと同一である。スペーサ８ｂの中央部には、上面フィルム８ａに塗布された銀ペーストの外周に対応して、窓８ｂ１が形成され、この窓８ｂ１は、センサフィルム８を底板５とセンサラバー７との間に挟持して固定するための取付孔に連結している。窓８ｂ１の長手方向の両側には、センサパターン８を底板５に固定するための取付孔８ｂ２が形成されている。
【００４１】
センサパターンフィルム８ｃは、同じくポリエステルフィルムにより形成され、矩形状のパターン部とそのパターン部から引き出された接続線部８ｃ６とから成り、パターン部の外形は、上面フィルム８ａおよびスペーサ８ｂの外形と同一である。
【００４２】
パターン部の上面には、２本のカーボンが塗布されたカーボン線８ｃ１が形成され、それぞれのカーボン線８ｃ１は、それぞれ銀ペースト８ｃ２により形成される引き出し線に接続され、接続線部８ｃ６へ導出され、２本のカーボン線８ｃ１の先端部は、銀ペースト８ｃ３により接続されている。接続線部８ｃ６の銀ペーストの上面は、絶縁するための被服で覆われている。
【００４３】
センサパターンフィルム８ｃの左側で、上面フィルム８ａに形成された取付孔８ａ２と同一の位置には、センサフィルム８を底板５とセンサラバー７との間に挟持して固定するための取付孔８ｃ４が形成され、カーボン線８ｃ１の長手方向の両側には、センサパターン８を底板５に固定するための取付孔８ｃ５が形成されている。
【００４４】
センサパターン８は、センサパターンフィルム８ｃの下面が底板５に当接し、その上にスペーサ８ｂが重ねられ、その上に上面フィルム８ａの下面が当接するように重ねられて、上面フィルム８ａ、スペーサ８ｂ、センサパターンフィルム８ｃにそれぞれ形成された取付孔にビスが螺合されて底板５に固着される。
【００４５】
固着された状態では、センサパターンフィルム８ｃに形成された２本のカーボン線８ｃ１が、スペーサ８ｂに形成された窓８ｂ１の空間を介して上面フィルム８ａに形成された銀ペースト８ａ１と対向する。
【００４６】
センサラバー７が押下されない状態では、上面フィルム８ａは、スペーサ８ｂにより形成される空間で離間し、上面フィルム８ａの下面に塗布された銀ペースト８ａ１は、カーボン線８ｃ１とは、接触しない。したがって、この状態では、２本のカーボン線８ｃ１は、銀ペースト８ｃ３により接続されるので、抵抗値は、２本のカーボン線８ｃ１の抵抗値の和である。
【００４７】
センサラバー７が押下されると、銀ペースト８ｃ３の方から順次上面フィルム８ａが押下されて、スペーサ８ｂに形成された窓８ｂ１の空間内に上面フィルム８ａが撓み込み、上面フィルム８ａの下面に塗布された銀ペースト８ａ１が、２本のカーボン線８ｃ１に接触するようになる。これにより２本のカーボン線８ｃ１が短絡され、その短絡された位置と、銀ペースト８ｃ２との距離が短くなる。２本の引き出し線の間の抵抗値は、この距離が短いほど小さくなるので、センサラバー７が大きく押下されるほど抵抗値は、小さくなる。
【００４８】
図５は、フットボード２が、操作されていない状態（ａ）と、フットボード２が、操作されて踏み込まれた状態（ｂ）とを示す断面図である。フットボード２が操作されていない状態（ａ）では、引っ張りコイルバネ１０の引っ張り力により、軸４と、バネ係止軸３ａと、バネ係止軸６ａとがほぼ一直線になり、その位置にフットボード２が保持される。  この状態から、フットボード２を操作して位置を変える場合、フットボード２は、回動軸４を中心として回動し、バネ係止軸３ａは、回動軸４を中心とする円弧上を動く。この状態では、バネ係止軸３ａの円弧上の移動距離に比べ、バネ係止軸３ａとバネ係止軸６ａとの距離（バネ長さ）の変化は少ない。よって、フットボード２が操作されていない状態付近では、軽くフットボード２を踏み込むだけで、大きい変位が得られる。
【００４９】
一方、フットボード２の踏み込み量を大きくすると、徐々に、踏み込む量とバネ係止軸３ａとバネ係止軸６ａとの距離とが比例するようになり、負荷が大きくなる。言い換えれば、フットボード２が操作されていない状態付近では、フットボード２の単位変位角度当りの負荷の変化は小さく、フットボード２が操作されて踏み込まれるに従って、フットボード２の単位変位角度当りの負荷の変化は大きくなる。
【００５０】
この動作は、図８に示す曲線Ａのアコースティックバスドラム用のペダル装置の特性に近似しているので、本発明の電子楽器用ペダル装置の操作感は、良好であり、特に、アコースティックバスドラム用のペダル装置の演奏に慣れている人にとっては、演奏しやすい。
【００５１】
以上、説明したように、本実施形態の電子打楽器用ペダル装置１は、フットボード２が操作されない状態では、引っ張りコイルバネ１０が、フットボード２の先端を底板５に対して所定の角度で引っ張り、フットボード２が踏み込まれると、引っ張りコイルバネ１０が伸張し、復元力が強くなる。よって、フットボード２が操作されていない状態付近では、負荷が軽く、踏み込むに従って重くなるというアコースティックバスドラムの動作に近似し、操作感が良好である。
【００５２】
次に、図６を参照して、変形例である第２の実施形態について説明する。図６は、第２の実施形態を示す電子打楽器用ペダル１の断面図であり、第１の実施形態と同一部分には、同一符号を付してその説明を省略し、異なる部分についてのみ説明する。
【００５３】
第１の実施形態では、カバー６の上部内側に第２のバネ係止軸６ａが備えられ、この第２のバネ係止軸６ａに引っ張りコイルバネ１０の他端が係止されて、フットボード２に備えられたバネ係止軸３ａに引っ張り力を与えるものであったが、第２の実施形態では、カバー６の上部内側に、プーリ２１を備え、引っ張りコイルバネ２２の下端は、底板５に固着されたバネ係止部５ｂに係止され、上端は、プーリ２１に掛けられたワイヤ２３の一端に固着される。ワイヤ２３の他端は、フットボード２の先端に備えられたウエイト３に形成された第１の係止軸３ａに係止される。
【００５４】
プーリ２１は、カバー６の上部から垂下された軸受けに設けられた回転軸に軸支され、周囲にワイヤ２３が嵌合される溝が形成された円盤状の滑車である。ワイヤ２３は、細い鋼線を寄り合わせ柔軟に折り曲げ可能で引っ張り力に耐える線材である。
【００５５】
この第２の実施形態においても、フットボード２が操作されていない状態では、引っ張りコイルバネ２２によりプーリ２１の方向へ第１の係止軸３ａを引っ張るのでプーリ２１と、第１の係止軸３ａと、回動軸４とが一直線上に位置する。
【００５６】
フットボード２が踏み込まれた場合は、ワイヤ２３の先端が、下方に引っ張られ、引っ張りコイルバネ２２の上端は、上方へ伸張される。よって、第１の実施形態と同様に、アコースティックバスドラムのペダル装置と同様の動作を行い、操作感が良好である。
【００５７】
次に、図７を参照して、変形例である第３の実施形態について説明する。図７は、第３の実施形態を示す電子打楽器用ペダル１の平面図（ａ）と、その平面図におけるＡ−Ａ線での断面図（ｂ）であり、第１の実施形態と同一部分には、同一符号を付してその説明を省略し、異なる部分についてのみ説明する。
【００５８】
第１の実施形態では、ウエイト３が、フットボード２にネジにより固着されているものとしたが、フットボード２の質量（慣性モーメント）は、演奏者により演奏し易い重さが異なる。第３の実施形態では、フットボード２の長手方向にフットボード２の表面と裏面とを貫通する長穴２ａを設け、この長穴２ａに補助ウエイト３１をネジ３２により固着するようにしたものである。長穴２ａの表側の周囲には、ネジ３２の頭部がフットボード２の上面から突出しないように、段差を設けている。補助ウエイト３１は、ウエイト３と同様に鉄などの金属で形成された直方体であり、その直方体の一つの面にネジ３２のネジ部が螺合されるメネジが形成されている。また、ネジ３２の頭部には、マイナスドライバの先端が嵌め込まれる溝が形成されている。
【００５９】
これにより、ドライバでネジ３２を緩め、補助ウエイト３１を演奏者の演奏し易い位置に移動し、再度ドライバによりネジ３２を締めることにより補助ウエイト３１を強固に固着することができる。
【００６０】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００６１】
例えば、上記実施形態では、引っ張りコイルバネ１０により、フットボード２をフットボード２の上面に平行な方向へ付勢するものとしたが、板バネを用いてもよい。
【００６２】
また、上記第１の実施形態では、フットボード２の所定の位置にネジ止めされたウエイト３により、質量を持たせるものとし、第３の実施形態では、フットボード２に設けた長穴２ａの任意の位置に補助ウエイト３１を固着できるものとしたが、フットボード２に、複数の補助ウエイトを取り付ける取付穴や取付用メネジなどを設け、演奏者が任意にウエイトをその取付穴や取付用メネジに着脱できるようにしてもよい。これにより、演奏者がより演奏しやすい質量をフットボードに設定することができる。
【００６３】
また、上記実施形態では、引っ張りコイルバネ１０の、一端は、バネ係止軸３ａまたは６ａに係止されるものとしたが、バネ係止軸３ａまたは６ａのバネの伸張方向の位置を調節できるようにし、演奏者が任意にバネの張力を調整できるようにしてもよい。
【図面の簡単な説明】
【００６４】
【図１】本発明の一実施形態である電子打楽器用ペダル装置の外観斜視図である。
【図２】ペダル装置の平面図（ａ）と、長手方向の断面図（ｂ）とである。
【図３】ウエイトとセンサとを示す斜視図である。
【図４】センサパターンの構成を示し、（ａ）は、上面フィルム、（ｂ）は、スペーサ、（ｃ）は、センサパターンフィルムをそれぞれ示す平面図である。
【図５】フットボードが操作されていない状態（ａ）と、フットボードが操作されて踏み込まれた状態（ｂ）とを示す断面図である。
【図６】第２の実施形態を示す断面図である。
【図７】第３の実施形態を示す平面図（ａ）と、断面図（ｂ）とである。
【図８】底板とフットボードとの角度と加重との関係を示すグラフである。
【図９】従来技術であるアコースティックバスドラム用ペダル装置の斜視図である。
【図１０】従来の電子打楽器用ペダル装置である。
【符号の説明】
【００６５】
１            電子打楽器
２            フットボード
３            ウエイト
３ａ          バネ係止軸（第１の係止部）
４            回動軸
５            底板
６            カバー
６ａ          バネ係止軸（第２の係止部）
７            センサラバー（センサの一部、押圧ゴム）
８            センサパターン（センサの一部）
８ｃ１        カーボン線（電極）
１０          引っ張りコイルバネ
【図１】
2008145464.tif 000003
【図２】
2008145464.tif 000004
【図３】
2008145464.tif 000005
【図４】
2008145464.tif 000006
【図５】
2008145464.tif 000007
【図６】
2008145464.tif 000008
【図７】
2008145464.tif 000009
【図８】
2008145464.tif 000010
【図９】
2008145464.tif 000011
【図１０】
2008145464.tif 000012